(57)【要約】      （修正有）【課題】ホストコンピュータの電源及びホストボードと、ハードディスク或いは外部電子機器を接続する際に、簡便に電力・信号併給を実現する外部電子機器の電力及び信号伝送装置を提供する。【解決手段】外部電子機器及びホストコンピュータに所要の電力を供給し、電力用リセプタクル（２２１）と、ホストコンピュータに電気的に接続された信号用リセプタクル（２２２）とが夫々設けられている第１の接続ポート（２２）を備える電源と、一端に、第１の接続ポート（２２）に電気的に接続されるプラグ（３１）を有し、且つ、他の一端に、外部電子機器に電気的に接続されるプラグ（３２）を有するケーブル（３０）と、を備える。【選択図】図２
0003117979.tif 000002
【実用新案登録請求の範囲】
【請求項１】
ホストコンピュータ（１０）と外部電子機器（５０）とを電気的に接続し、外部電子機器が必要とする電力及び信号を供給する、外部電子機器の電力及び信号伝送装置において、
外部電子機器（５０）及びホストコンピュータ（１０）に所要の電力を供給し、電力用リセプタクル（２２１）と、ホストコンピュータ（１０）に電気的に接続された信号用リセプタクル（２２２）とが夫々設けられている第１の接続ポート（２２）を備える電源（２０）と、
一端に、第１の接続ポート（２２）に電気的に接続されるプラグ（３１）を有し、且つ、他の一端に、外部電子機器（５０）に電気的に接続されるプラグ（３２）を有するケーブル（３０）と、を備えることを特徴とする外部電子機器の電力及び信号伝送装置。
【請求項２】
前記第１の接続ポート（２２）が、さらに、ホストコンピュータ（１０）のケース上に設けられる第３の接続ポート（１１）に電気的に接続され、前記ケーブル（３０）のプラグ（３１）が前記第３の接続ポート（１１）に接続されることを特徴とする請求項１記載の外部電子機器の電力及び信号伝送装置。
【請求項３】
前記電源（２０）のケース上に、第２の接続ポート（２３）が設けられ、ホストコンピュータ（１０）からの信号が、互いに電気的に接続された信号用ケーブル（２５）及び前記第２の接続ポート（２３）を介して、前記第１の接続ポート（２２）に伝送されることを特徴とする請求項１記載の外部電子機器の電力及び信号伝送装置。
【請求項４】
前記電源（２０）のケース上にスルーホール（２４）が開設され、ホストコンピュータ（１０）からの信号が、前記スルーホール（２４）を貫通する、互いに電気的に接続された信号用ケーブル（２５）を介して、前記第１の接続ポート（２２）に伝送されることを特徴とする請求項１記載の外部電子機器の電力及び信号伝送装置。
【請求項５】
前記プラグ（３２）が、二つに分離される電力用プラグ（３２１）と信号用プラグ（３２２）を含むことを特徴とする請求項１記載の外部電子機器の電力及び信号伝送装置。
【請求項６】
前記電力用プラグ（３２１’）の一側面に第１の接合部材（３２１１’）を有し、前記信号用プラグ（３２２’）の対応する側面に第２の接合部材（３２２１’）を有し、且つ、前記第１の接合部材（３２１１’）が、前記第２の接合部材（３２２１’）と結合可能であることを特徴とする請求項５記載の外部電子機器の電力及び信号伝送装置。
【請求項７】
前記プラグ（３２）が、外部接続ボックス（５０’）に接続されることを特徴とする請求項１記載の外部電子機器の電力及び信号伝送装置。
【請求項８】
前記ケーブル（３０）の一端には、前記外部電子機器（５０）の作動状態を表示する信号表示ランプ（３３）が設けられることを特徴とする請求項１記載の外部電子機器の電力及び信号伝送装置。
【考案の詳細な説明】
【技術分野】
【０００１】
本考案は、外部電子機器の電力及び信号伝送装置に係り、特に、少なくとも一つの接続ポートにおいて電力及び信号配線が一体のコネクタ（即ち、プラグ又はリセプタクル）に接続されている、外部電子機器の電力及び信号伝送装置に関するものである。
【背景技術】
【０００２】
コンピュータ及びその関連ハードウェアの急速な発展に伴い、情報産業の発展が一層目覚しい現状において、それに応じてソフトウェアが占める容量は大幅に増加するので、ハードディスク及びその他のコンピュータ外部電子機器の伝送レートの高速化に対するユーザの需要が益々高まりつつある。
【０００３】
商業化された伝送装置の関連製品を見ると、汎用性直列バス（Ｕｎｉｖｅｒｓａｌ  Ｓｅｒｉａｌ  Ｂｕｓ、即ち、ＵＳＢインターフェース）とＡｐｐｌｅ  Ｃｏｍｐｕｔｅｒ  Ｉｎｃ．が研究開発したＩＥＥＥ  １３９４シリーズ製品が、最も普遍性のある二種の伝送標準であり、その特徴は、信号を伝送する以外に、電源電力を外部電子機器に供給できることにある。
市販の最も普及しているＵＳＢインターフェースを例にとると、ＵＳＢインターフェースごとに供給できる電圧の最高値は５Ｖで、最大電流値は５００ｍＡであるので、ＵＳＢポートごとで２．５Ｗのパワーを供給できる。
それに比べて、通常の外部電子機器の所要パワーは、一般の７２００ＲＰＭのＩＤＥハードディスク、５０ｘ  ＡＴＡＰＩ  ＣＤ−ＲＯＭ、ＳＣＳＩ  ＣＤ−ＲＯＭ、１２ｘ／１０ｘ／４０ｘ  ＳＣＳＩ  ＣＤ−Ｒ／ＲＷ、１６ｘ  ＡＴＡＰＩ  ＤＶＤ−ＲＯＭの場合、夫々、２０Ｗ、１０〜２５Ｗ、１２Ｗ、２０Ｗ、１０〜２５Ｗである。
現在の技術で言えばユーザは、ＵＳＢインターフェースを電力及び信号の伝送装置としてハードディスクドライブ或いは光ディスクドライブに接続することにより、これらの外部電子装置を最も効率的に稼動できると期待するけれども、ＵＳＢインターフェース或いはＩＥＥＥ  １３９４シリーズ製品では上記のように電力を十分に提供できないという問題があり、別に電源或いは一組の変圧器を追加して、これらの外部電子機器に接続しなければならない。
即ち、外部電子機器自身の消費電力の削減は、上記のように電力と信号を一体に伝送する装置にとって不可欠である。
【０００４】
新しい世代の熱放散ができるＳＡＴＡハードディスクは、新しいハードディスク伝送標準であり、直列伝送（従来のＡＴＡハードディスクは並列伝送であった）、より高周波動作（ＡＴＡが３３Ｍｈｚ、ＳＡＴＡが１５０Ｍｈｚ）、より遠い距離の伝送、より低いＣＰＵ使用量、等の特徴に加えて、より低い消費電力という、上記の観点から注目すべき特徴を備える。
ＳＡＴＡを採用したハードディスクにおいては、同時に電源供給方式を更新したので、ハードディスクの消費電力量は、ＡＴＡ型より少なく、従って発熱量が低いので、上記のような、電力と信号を一体に伝送する装置が適用可能になる。
現在のところ、主流のハードディスクがＡＴＡの伝送量を使い切っていないので、ＳＡＴＡの優勢が必ずしも明らかではない。
しかし、より高速なハードディスクが主流になると、ＳＡＴＡの伝送レートの圧倒的な優勢が顕著に現れる。
ＳＡＴＡは上記のように伝送レートに関して優勢であるだけではなく、ＳＡＴＡの伝送線長はＩＤＥ（即ち、ＡＴＡ）の伝送線長よりもっと長く、ＳＡＴＡの配線基準によって１０ｍまで延長可能であり、ＡＴＡの場合の上限である４．５ｍの２倍以上あるので、ケース内の複雑な配線状況を改善することができ、しかも、ＳＡＴＡが熱放散をサポートする機能により外部ハードディスクの設計がより容易になり、ＳＡＴＡ規格のハードディスク或いは光ディスクにとって、より高い電力効率設計が可能になる。
【０００５】
現在の技術を言えば、特許文献１及び特許文献２に開示された電源によれば、別に、外部電子機器の電源用プラグを供給することができ、外部電子機器に十分な電力を供給できるが、同時に信号を供給することはできない。
【特許文献１】中華民国特許公告第Ｍ２４２７７４号
【特許文献２】中華民国特許公告第Ｍ２４５５１６号
【考案の開示】
【考案が解決しようとする課題】
【０００６】
以上のように、電力及び信号を一体に伝送する装置を使用し、外部電子機器に対して所要の電力と信号を併給することが最も好ましいので、本考案の課題は、ホストコンピュータの電源及びホストボードと、ハードディスク或いは外部電子機器を接続する際に、簡便に電力・信号併給を実現する外部電子機器の電力及び信号伝送装置を提供することにある。
【課題を解決するための手段】
【０００７】
上記の課題を解決するためになされた本考案による外部電子機器の電力及び信号伝送装置は、ホストコンピュータ（１０）と外部電子機器（５０）とを電気的に接続し、外部電子機器が必要とする電力及び信号を供給する、外部電子機器の電力及び信号伝送装置において、外部電子機器（５０）及びホストコンピュータ（１０）に所要の電力を供給し、電力用リセプタクル（２２１）と、ホストコンピュータ（１０）に電気的に接続された信号用リセプタクル（２２２）とが夫々設けられている第１の接続ポート（２２）を備える電源（２０）と、一端に、第１の接続ポート（２２）に電気的に接続されるプラグ（３１）を有し、且つ、他の一端に、外部電子機器（５０）に電気的に接続されるプラグ（３２）を有するケーブル（３０）と、を備えることを特徴とする。
また請求項２に示すとおり、前記第１の接続ポート（２２）が、さらに、ホストコンピュータ（１０）のケース上に設けられる第３の接続ポート（１１）に電気的に接続され、前記ケーブル（３０）のプラグ（３１）が前記第３の接続ポート（１１）に接続されることを特徴とする。
また請求項３に示すとおり、前記電源（２０）のケースの側面に、第２の接続ポート（２３）が設けられ、ホストコンピュータ（１０）からの信号が、互いに電気的に接続された信号用ケーブル（２５）及び前記第２の接続ポート（２３）を介して、前記第１の接続ポート（２２）に伝送されることを特徴とする。
また請求項４に示すとおり、前記電源（２０）のケースの側面にスルーホール（２４）が開設され、ホストコンピュータ（１０）からの信号が、前記スルーホール（２４）を貫通する、互いに電気的に接続された信号用ケーブル（２５）を介して、前記第１の接続ポート（２２）に伝送されることを特徴とする。
また請求項５に示すとおり、前記プラグ（３２）が、二つに分離される電力用プラグ（３２１）と信号用プラグ（３２２）を含むことを特徴とする。
また請求項６に示すとおり、前記電力用プラグ（３２１’）の一側面に第１の接合部材（３２１１’）を有し、前記信号用プラグ（３２２’）の対応する側面に第２の接合部材（３２２１’）を有し、且つ、前記第１の接合部材（３２１１’）が、前記第２の接合部材（３２２１’）と結合可能であることを特徴とする。
また請求項７に示すとおり、前記プラグ（３２）が、外部接続ボックス（５０’）に接続されることを特徴とする。
また請求項８に示すとおり、前記ケーブル（３０）の一端には、前記外部電子機器（５０）の作動状態を表示する信号表示ランプ（３３）が設けられることを特徴とする。
【考案を実施するための最良の形態】
【０００８】
以下、図を参照しながら本考案の詳しい説明及び技術内容について説明する。
【実施例１】
【０００９】
図１及び図２は、夫々、本考案による第１の実施例の外観斜視図及び構造分解図である。
図１及び図２に示すように、本考案は、外部電子機器の電力及び信号伝送装置に関するものである。
ホストコンピュータ１０は、外部電子機器５０及びホストコンピュータ１０に所要の電力を供給する電源２０を含む。
第１の接続ポート２２と第２の接続ポート２３が電源２０に設けられ、且つ、第１の接続ポート２２が、電力用リセプタクル２２１と信号用リセプタクル２２２を含む。
電力用リセプタクル２２１が、電力用ケーブル２６を介して電源２０の電力出力回路基板２１に接続され、信号用リセプタクル２２２が、信号用ケーブル２５及び第２の接続ポート２３を介してホストコンピュータ１０のホストボード４０に接続されている。
また、フレキシブルなケーブル３０の一端がプラグ３１を介して第１の接続ポート２２に電気的に接続され、ケーブル３０の他の一端が、プラグ３２を介して外部電子機器５０（例えば、外部ハードディスク）に接続される。
プラグ３２には、伝送すべき電力及び信号に対応して、電力用プラグ３２１及び信号用プラグ３２２が夫々設けられる。
このようにして、ホストコンピュータ１０内の電源２０は、所要電力を外部電子機器５０に供給し、ホストコンピュータ１０内のホストボード４０と外部電子機器５０とは電源２０内を経由して制御信号を互いに伝送することができる。
【実施例２】
【００１０】
図３は、本考案による第２の実施例を示す図であり、図に示すように、第１の接続ポート２２が、電源２０の、ホストコンピュータ１０のケースの内部に面する側面に設けられ、ホストコンピュータ１０のケース上に設けられる第３の接続ポート１１に電気的に接続される。
第３の接続ポート１１を、ユーザが差し込み易くするため、ホストコンピュータ１０の前部操作パネル又は後部拡大パネルの上に露出、設置してもよいが、ホストコンピュータ１０の光ディスクを取付ける収納溝のカバープレート（図示せず）の上に設置してもよい。
このようにして、ユーザがケーブル３０のプラグ３１を第３の接続ポート１１に比較的に差し込み易くようにすると共に、ケーブル３０の延長機能により、ユーザが外部電子機器５０を設置する場所はホストコンピュータ１０から離れてもよく、設置の自由度を高めることができる。
【実施例３】
【００１１】
図４は、本考案による第３の実施例を示す図であり、図に示すように、信号用ケーブル２５が、電源２０に開設されているスルーホール２４を介して第１の接続ポート２２の信号用リセプタクル２２２に直接に電気的に接続されているので、上記第１、第２の実施例の場合のように、第２の接続ポート２３を介して接続する必要はなくなる。
【実施例４】
【００１２】
図５は、本考案による第４の実施例を示す図であり、ここで図に示す外部電子機器５０は、電子設備の外部接続用ボックス５０’又は特定の外部電子機器、例えば、外部光ディスク装置若しくは外部フロッピィディスク装置である。
【実施例５】
【００１３】
図６及び図７は、本考案による第５の実施例を示す図であり、図６に示すように、プラグ３２は、電力用プラグ３２１及び信号用プラグ３２２を含み、図４、５に示すように、電力及び信号を、外部電子機器５０及び電子設備の外部接続用ボックス５０’に夫々供給できる。
図７に示すように、電力用プラグ３２１’の一側面に、第１の接合部材３２１１’が設けられ、信号用プラグ３２２’の、電力用プラグ３２１’に相い対する側面に、第１の接合部材３２１１’に対応する第２の接合部材３２２１’が設けられているので、プラグ３２は、第１の接合部材３２１１’及び第２の接合部材３２２１’により、電力用プラグ３２１’と信号用プラグ３２２’とに分離或いは結合することができる。
従って、外部電子機器の入出力ポートの形態が、電力用ポートと信号用ポートとに分離され離隔して設置されている場合でも、電力用ポートと信号用ポートとが結合されている場合でも、プラグ３２’としては、電力用ポートと信号用ポートを分離或いは結合することにより即応させることができる。
【実施例６】
【００１４】
図８は、本考案による第６の実施例を示す図であり、図に示すように、第１の接続ポート２２のリセプタクル、及びこれに対応してケーブル３０のプラグ３１として、上記実施例１〜５の場合と異なる形態の伝送用コネクタが用いられる。
即ち、本考案の主な特徴は、電力用ケーブル２６及び信号用ケーブル２５が、電力用配線と信号用配線が統合された第１の接続ポート２２に整合するように接続され、再び２つのケーブルからなる（即ち、ケーブル３０を介して２つのプラグ３２１、３２２に接続されることにより外部電子機器５０に電力及びホストコンピュータ１０からの信号を供給することにある。
【００１５】
さらに、図１〜８を通じて、特に図１及び２を参照すると、外部電子機器５０がホストコンピュータ１０に電気的接続されているか否かを報せる信号表示ランプ３３がケーブル３０に結合されている。
このように、外部電子機器５０が作動する状態では、信号表示ランプ３３も同期して作動するので、外部電子機器５０が作動しており且つホストコンピュータ１０に電気的に接続されている状態にあることをユーザに報せることが出来る。
【００１６】
上記に開示された外部電子機器の電力及び信号伝送装置の構成は、単に本考案の好ましい実施例に過ぎないものであり、本考案の実用新案登録請求の範囲を局限するものではなく、当分野における通常の知識を有する専門家が、上記実施例に対して本考案の実用新案登録請求の範囲の中で適当に変換や修飾などを実施したものは本考案の実用新案登録請求の範囲の技術的範疇に含まれることは言うまでもない。
【図面の簡単な説明】
【００１７】
【図１】本考案の第１の実施例の外観を示す斜視図である。
【図２】本考案の第１の実施例の構造を示す分解図である。
【図３】本考案の第２の実施例を示す図である。
【図４】本考案の第３の実施例を示す図である。
【図５】本考案の第４の実施例を示す図である。
【図６】本考案の第５の実施例を示す図である。
【図７】本考案の第５の実施例を示す図である。
【図８】本考案の第６の実施例を示す図である。
【符号の説明】
【００１８】
１０    ホストコンピュータ
１１    第３の接続ポート
２０    電源
２１    電力出力回路基板
２２    第１の接続ポート
２３    第２の接続ポート
２４    スルーホール
２５    信号用ケーブル
２６    電力用ケーブル
３０    ケーブル
３１    プラグ
３２、３２’    プラグ
３３    信号表示ランプ
４０    ホストボード
５０    外部電子機器
５０’  外部接続ボックス
２２１    電力用リセプタクル
２２２    信号用リセプタクル
３２１、３２１’    電力用プラグ
３２２、３２２’    信号用プラグ
３２１１’    第１の接合部材
３２２１’    第２の接合部材
【図１】
0003117979.tif 000003
【図２】
0003117979.tif 000004
【図３】
0003117979.tif 000005
【図４】
0003117979.tif 000006
【図５】
0003117979.tif 000007
【図６】
0003117979.tif 000008
【図７】
0003117979.tif 000009
【図８】
0003117979.tif 000010